(57)【特許請求の範囲】
【請求項１】
飲食店における所望の飲食物を注文するための飲食物注文装置であって、顧客に対する情報を画像表示するディスプレイと、このディスプレイの前面に装着されるタッチセンサーとを備え、前記ディスプレイに表示された画像を指先等でタッチ操作することによって、どの画像がタッチされたかを出力する機能を備えたタッチパネル式ディスプレイ装置と、このディスプレイ装置に搭載され、音声を出力するスピーカと、タッチ操作によって注文された飲食物情報を飲食物供給場所に表示する注文表示手段と、前記タッチパネル式ディスプレイ装置、スピーカ、および注文表示手段を制御する制御手段とを備え、  制御手段が、前記ディスプレイ装置に注文可能な飲食物情報をアニメーション表示するとともに、アニメーション表示された飲食物情報中の何れかがタッチ操作により選択された時に、選択された飲食物の注文画面に切り換える画像制御機能と、前記ディスプレイ装置においてタッチ操作された情報を認識するデータ入力機能と、タッチ操作により注文された飲食物情報を飲食物供給場所に報知する報知機能と、ディスプレイ装置に表示されたそれぞれの画面に応じた音声を発する音声合成機能と、飲食物の注文に基づいて、擬似乱数情報を発生する擬似乱数情報発生機能と、擬似乱数情報発生機能で発生する擬似乱数情報に対応付けた出力パターンに関するパターン情報を予め記憶している情報記憶部と、擬似乱数情報発生手段で発生した擬似乱数情報に基づいて情報記憶部に記憶されたパターン情報を選択して、演算処理により所定の出力パターンを出力する演算部と、演算部で出力された出力パターンを画像表示手段に表示させる出力パターン表示機能と、当たり情報設定機能と、擬似乱数情報発生機能により発生した擬似乱数情報と当たり情報設定機能により設定されている当たり情報とを比較し、これら情報が一致した場合に当たりを判定する当たり判定機能とを備え、当たりが発生すると、景品取り出し装置を作動させて、容器内の景品を排出させるようにしていることを特徴とする飲食物注文装置。
【請求項２】
飲食物注文装置に、金銭支払い機能を有するクレジットカードに記録した情報を読み取るカード読取装置を設けると共に、制御手段が、カード読取装置で読み取ったカードの情報に基づいて、カード会社のホストコンピュータに記録されているカード所持者の情報をオンライン検索して、カード所持者の情報に問題がない場合に、カード所持者が注文した飲食物の金銭支払いについて自動的に決済を行なう決済機能を備えていることを特徴とする請求項１に記載の飲食店における飲食物注文装置。
【発明の詳細な説明】
【０００１】
【発明の属する技術分野】
本発明は飲食店における飲食物注文装置に関する。
【０００２】
【従来の技術】
一般に回転寿司店等では、厨房から客席まで飲食物を搬送する搬送装置を設けると共に、各客席と厨房室との間にインターホーンを設けて成り、顧客が所望する飲食物を注文する際には、客席側のインターホーンを用いて、注文の品を厨房室に音声で伝えるようにしている。
【０００３】
そして厨房室では、インターホーンにより伝えられる注文の品を造って搬送装置を介して注文のあった各席までその品を搬送するようにしている。
【０００４】
【発明が解決しようとする課題】
しかしながら以上の店舗では、インターホーンを利用して、音声により所望の品を注文することから、注文の品が正確には伝わらず、間違って注文を受けたり、あるいは注文があったにもかかわらず、注文の品がオーダーされないままとなる問題がある。
【０００５】
また以上のようにインターホーンによる注文は味気ないものであって、特に子供には飲食物が到着するまでに待ちくたびれる。
【０００６】
本発明は以上の実情に鑑みて開発したものであって、目的とするところは、飲食物の注文が正確且つ楽しく行なえる飲食物注文装置を提供するにある。
【０００７】
【課題を解決するための手段】
請求項１に記載の発明は、飲食店における所望の飲食物を注文するための飲食物注文装置であって、顧客に対する情報を画像表示するディスプレイと、このディスプレイの前面に装着されるタッチセンサーとを備え、前記ディスプレイに表示された画像を指先等でタッチ操作することによって、どの画像がタッチされたかを出力する機能を備えたタッチパネル式ディスプレイ装置と、このディスプレイ装置に搭載され、音声を出力するスピーカと、タッチ操作によって注文された飲食物情報を飲食物供給場所に表示する注文表示手段と、前記タッチパネル式ディスプレイ装置、スピーカ、および注文表示手段を制御する制御手段とを備え、  制御手段が、前記ディスプレイ装置に注文可能な飲食物情報をアニメーション表示するとともに、アニメーション表示された飲食物情報中の何れかがタッチ操作により選択された時に、選択された飲食物の注文画面に切り換える画像制御機能と、前記ディスプレイ装置においてタッチ操作された情報を認識するデータ入力機能と、タッチ操作により注文された飲食物情報を飲食物供給場所に報知する報知機能と、ディスプレイ装置に表示されたそれぞれの画面に応じた音声を発する音声合成機能と、飲食物の注文に基づいて、擬似乱数情報を発生する擬似乱数情報発生機能と、擬似乱数情報発生機能で発生する擬似乱数情報に対応付けた出力パターンに関するパターン情報を予め記憶している情報記憶部と、擬似乱数情報発生手段で発生した擬似乱数情報に基づいて情報記憶部に記憶されたパターン情報を選択して、演算処理により所定の出力パターンを出力する演算部と、演算部で出力された出力パターンを画像表示手段に表示させる出力パターン表示機能と、当たり情報設定機能と、擬似乱数情報発生機能により発生した擬似乱数情報と当たり情報設定機能により設定されている当たり情報とを比較し、これら情報が一致した場合に当たりを判定する当たり判定機能とを備え、当たりが発生すると、景品取り出し装置を作動させて、容器内の景品を排出させるようにしていることを特徴とするものである。
【０００８】
請求項２に記載の発明は、請求項１に記載の発明において、飲食物注文装置に、金銭支払い機能を有するクレジットカードに記録した情報を読み取るカード読取装置を設けると共に、制御手段が、カード読取装置で読み取ったカードの情報に基づいて、カード会社のホストコンピュータに記録されているカード所持者の情報をオンライン検索して、カード所持者の情報に問題がない場合に、カード所持者が注文した飲食物の金銭支払いについて自動的に決済を行なう決済機能を備えていることを特徴とするものである。
【００１０】
【発明の実施の形態】
以下、本発明にかかる飲食物注文装置の一実施形態を図面に基づいて詳細に説明する。
【００１１】
図１は、客室Ｓ１の客席に設置した複数の脚付きテーブル１ａ及びカウンターテーブル１ｂと、厨房室Ｓ２の前面乃至各テーブル１ａ・１ｂに沿って配置した仕切りハウジング２と、この仕切りハウジング２上に周回状に設けられて、厨房室Ｓ２内にて皿Ｐに盛り合わされた寿司Ｒ等の飲食物を各テーブル１ａ・１ｂに循環搬送するための二機の循環搬送路３ａ・３ｂを設けた飲食物搬送装置３０とを設置した寿司店の店舗内を平面的に表したものである。
【００１２】
仕切りハウジング２は、所定間隔を開けて相対向する側壁２１と、これら両側壁２１の上端及び下端を結ぶ上壁２２及び底壁（図示せず）とから断面ボックス状に形成されている。
【００１３】
また仕切りハウジング２は、厨房室Ｓ２の前面に沿って配設されて厨房室Ｓ２と客室Ｓ１とを区画する第１ハウジング部２ａと、第１ハウジング部２ａの長手方向両端から屈曲して客室Ｓ１内に平行に延びる第２，第３ハウジング部２ｂ，２ｃとから成り、第２，第３ハウジング部２ｂ，２ｃにおける側壁２１の外側方には、脚付きテーブル１ａとカウンターテーブル１ｂとを配置している。図１に示すように、前記した二機の循環搬送路３ａ・３ｂ中の一機３ａは、第１ハウジング部２ａの左半分と第２ハウジング部２ｂに設置され、もう一機３ｂは第１ハウジング部２ａの右半分と第３ハウジング部２ｃに設置されている。これら循環搬送路３ａ・３ｂは、図２にも示すように、各ハウジング部２ａ，２ｂ，２ｃの上壁２２に設けた凹所２３内をモータ駆動により循環移動する無端状のフラットチェーン３１から構成されており、図２にも示すように、循環搬送路３ａ・３ｂを構成するフラットチェーン３１上に、飲食物を載せた皿Ｐを直接置いて、この皿Ｐを循環搬送するようにしている。
【００１４】
また循環搬送路３ａに沿うテーブル１ａには、図１に示すように、循環搬送路３ａの上流側から順番にテーブル番号（１），（２），（３），（４）が、また循環搬送路３ｂに沿うテーブル１ａ・１ｂには、その循環搬送路３ｂの上流側から順番にテーブル番号（５），（６），（７），（８），（９），（１０）が付けられており、カウンターテーブル１ｂにおいては、椅子席ごとに番号が付けられている。
【００１５】
循環搬送路３ａ上には、各客席（１），（２），（３），（４）に対応する４つの客席表示部４−（１）〜４−（４）が立設され、循環搬送路３ａにおける前記客席表示部４の後方には、その客席表示部４が表示する客席からの注文の飲食物の載置スペースＴが確保されている。
【００１６】
循環搬送路３ｂにあっても、各客席（５），（６），（７），（８），（９），（１０）に対応する６つの客席表示部４−（５）〜４−（１０）が立設され、循環搬送路３ｂにおける前記客席表示部４の後方には、その客席表示部４が表示する客席からの注文の飲食物の載置スペースが確保されている。
【００１７】
客席表示部４は、図３にも示すように円柱状に形成され、その外周面には、対応する客席の番号に応じたメッセージ、具体的には、対応する客席の番号が例えば１番であれば、「１番席の方のみ後方の品をお取り下さい」の文字が記入され、またその外周面の下端部には、例えばＱＲコードを印刷した複数枚のシール４０が貼り付けられている。
【００１８】
尚、シール４０には、ＱＲコードの他にバーコードなどの識別子を印刷してもよいし、あるいはこの識別子を客席表示部４の表面に直接印刷してもよい。
【００１９】
一方、厨房室Ｓ２には、制御装置５とタッチパネル式の客席用モニター６ａ及び持ち帰り用モニター６ｂとが設けられている。
【００２０】
各客席には、客席表示部４に貼り付けているシール４０のＱＲコードを読み取るための読取装置４１が設けられ、また各客席と、店舗内に設けたお持ち帰り注文コーナーＳ３と、店舗の外に設けたドライブスルー形式のお持ち帰り注文コーナーＳ４には、それぞれタッチパネル式ディスプレイ装置７が設けられている。
【００２１】
タッチパネル式ディスプレイ装置７は液晶ディスプレイの前面にタッチセンサーが装着されており、液晶ディスプレイに表示された飲食物情報等の画像を指先等でタッチ操作することによって、どの画像がタッチされたかを出力する機能を備えている。
【００２２】
このタッチパネル式ディスプレイ装置７の横にはマイク７１及びスピーカ７２が搭載されている。
【００２３】
制御装置５には、図４にも示すように、タッチパネル式ディスプレイ装置７に表示する画像を制御して飲食物情報を表示する飲食物表示機能を兼ね備えた画像制御機能５１と、スピーカ７２から合成音声を発する音声合成機能５２と、マイク７１から出力する音声信号を認識する音声認識機能５３と、タッチパネル式ディスプレイ装置７においてタッチ操作された情報を認識するデータ入力機能５４と、注文された飲食物情報と注文のあった客席情報とを厨房室Ｓ２に設置のモニター６に報知する報知機能５５と、タッチパネル式ディスプレイ装置７のタッチ操作による飲食物の注文数（実施形態では５）が所定数となった時、擬似乱数情報を発生する擬似乱数情報発生機能５６と、擬似乱数情報発生機能５６で発生する擬似乱数情報に対応付けた出力パターンに関するパターン情報を予め記憶している情報記憶部５７と、擬似乱数情報発生機能５６で発生した擬似乱数情報に基づいて情報記憶部５７に記憶されたパターン情報を選択的に入力し、演算処理して所定の出力パターンを出力する演算部５８と、演算部５８で出力された出力パターンを画像表示手段に表示させる出力パターン表示機能５９と、当たり情報設定機能５０１と、擬似乱数情報発生機能５６により発生した擬似乱数情報と当たり情報設定機能５０１により設定されている当たり情報とを比較し、これら情報が一致した場合に当たりを判定する当たり判定機能５０２と、後記するカード読取装置８で読み取ったカードＣの情報から金銭支払いの決済を行なう決済機能８０とを構築している。
【００２４】
制御装置５の決済機能８０では、カード読取装置８で読み取ったカードＣの情報に基づいて、カード会社のホストコンピュータに記録されているカード所持者の情報をオンラインで検索して、カード所持者が注文した飲食物の代金を決済するようにしている。また各客席並びにお持ち帰り注文コーナーＳ３・Ｓ４には、クレジットカードなどの金銭支払い機能を有するカードＣに記録された情報を読み取るカード読取装置８を設けて、このカード読取装置８を制御装置５に接続しているのであって、客が、カードＣをカード読取装置８に通すと、カードＣに記録されている情報がカード読取装置８で読み取られて制御装置５に出力される。
【００２５】
カードＣに記録されている情報を受信した制御装置５は、オンライン機能により接続されたカード会社のホストコンピュータから、その情報が記録されているカードＣが例えば盗難届の出ているものであるかなどの各種情報を検索して、問題がある場合には、タッチパネル式ディスプレイ装置７の画面に「申し訳ございませんが、当カードは使用出来ません。」のメッセージが表示される一方、問題がない場合には、それまでタッチパネル式ディスプレイ装置７の画面に表示していた待機用画像が挨拶画像に切り換えられる。
【００２６】
挨拶画像は、例えば店員と同じ服装をした「店員キャラクタ」が挨拶をするアニメーション画像であって、同時に、スピーカ７２からは「いらっしゃいませ。」等の挨拶を音声合成して発生する。
【００２７】
続いて、注文から支払いまでのシステムを説明する説明画像や、注文可能な各種飲食物の画像とその説明等を表示する飲食物説明画像等に順次切り換えられ、スピーカ７２からはそれぞれの画面に応じた音声が出力される。
【００２８】
情報記憶部５７は、擬似乱数情報発生用のプログラムと、このプログラムの実行により発生した擬似乱数情報に対応付けた出力パターン及び当たりに関する当たり情報を予め記憶している。
【００２９】
制御装置５の演算部５８では、情報記憶部５７に記憶された擬似乱数発生用プログラムを実行処理することにより、所定の出力パターンを出力し、出力パターン表示機能５９により、その出力パターンをディスプレイ装置７に表示させるようにしている。また判定機能５０２では、擬似乱数情報発生機能５６で発生した擬似乱数情報と当たり情報設定機能５０１により設定された当たり情報とを比較して当たりの判定を行うようにしている。
【００３０】
具体的には、出力パターン表示機能５９により、例えばディスプレイ装置７の画面の周囲に、図８の（ａ）に示すように、複数の点灯ブロック７３ａ〜７３ｈから成るルーレット表示部７３が表示されて、点灯ブロック７３ａ〜７３ｈをタイミングをずらして順次点滅させることにより、擬似的にルーレットが回転しているように見せ、予め設定した回数を点滅させた後、擬似乱数情報発生機能５６の仕事に基づいた点灯ブロックを点灯させるようにし、また当たり判定機能５０２が当たりを判定すると、演算部５８の処理により出力パターン表示機能５９にて、図８の（ｂ）に示すように、所定のキャラクタ７４がディスプレイ装置７の画面の中央に表示され、このキャラクタ７４が手を振ったり、腰を振る等の所定の動作を行なうようにしている。
【００３１】
また本実施形態においてはさらに景品取り出し装置９が設けられている。
【００３２】
この景品取り出し装置９は、図５に示すように、透明な側壁を有する蔵の形状を模った容器９１内に複数の球状のカプセル９２が収納されており、当たりが発生すると、制御装置５により、容器９１に内蔵されているカプセル排出機構（図示せず）を作動させて、容器９１の前面側に設けられた排出口９３にカプセル９２を排出する構成となっている。
【００３３】
カプセル９２内にはさまざまな景品が収納されており、当たりが発生すると、上記カプセル排出機構が作動して、カプセル９２を排出し、これらの景品を手に入れることができる構成となっている。
【００３４】
この結果、客は、商品の注文により、ルーレット表示部７３で視覚的に楽しむことができるとともに、さらに景品取り出し装置９で景品を獲得する機会を得ることが出来、客を楽しませる。
【００３５】
次に制御装置５によってタッチパネル式ディスプレイ装置７に表示される飲食物説明画像の例を説明する。
【００３６】
図に示す実施形態では、飲食物説明画像として、図６の（ａ）に示す「寿司注文画面」が先ず表示されるのであって、この画面では、材料となる種々の魚の泳いでいる画像が次々にアニメーション表示される。
【００３７】
そしてこの画面に表示されている任意の魚の画像、例えば「鯛」にタッチすると、図６の（ｂ）に示す「寿司注文画面」に切り替わるのであって、この画面では、「鯛」の画像と注文数ボタンの画像などが表示され、適宜、その魚「鯛」の説明やその魚を用いた寿司の説明などが文字や画像更には必要に応じて音声により説明される。
【００３８】
そして更に、画面内の注文数ボタン７ａの画像をタッチすることによってその飲食物を注文する。直後であれば取消ボタン７ｂの画像をタッチすることで取り消すことも可能である。
【００３９】
尚、画面の隅の飲食物切り換えボタン７ｃの画像をタッチすると、さらに別の飲食物を紹介する画面に強制的に切り換えることも可能である。
【００４０】
また、前記マイク７１を介して音声入力することで飲食物を注文することも可能である。
【００４１】
以上のようにして、飲食物の種類と数量が指定されることにより注文が決定されると、その注文数が画像内に表示されると共に、制御装置５の報知機能５５によって、図７に示すように、その注文が客席からのものは、厨房室Ｓ２の客席用モニター６ａに注文先の客席情報と注文情報とが表示され、また注文がお持ち帰り注文コーナーＳ３またはＳ４のものは、厨房室Ｓ２の持ち帰り用モニター６ｂに、客席情報に替えて注文番号とその注文情報とが表示される。
【００４２】
尚、客席情報とは、注文した客席に対応したテーブル番号等の情報であり、注文情報とは、飲食物の種類とその数量等の情報である。
【００４３】
そして厨房のモニター６ａ・６ｂに表示される情報を見て厨房の従業員は注文のあった飲食物の準備を行なう。
【００４４】
モニター６ａに表示の飲食物の準備が整えば、その飲食物を盛った皿を注文のあった席番号、例えば３番の席番号に対応する客席表示部４−（３）後方の載置スペースに載せ、担当者が飲食物セット完了スイッチ６１を押す。
【００４５】
尚、この飲食物セット完了スイッチ６１は厨房用のタッチパネル式ディスプレイ装置の画面上に設けることもできる。
【００４６】
そして客席表示部４−（３）が対応する３番の客席に近づいて、その３番の客席に設置した読取装置８０が3番の席番号に対応する客席表示部４−（３）に設けたシール４０のＱＲコードを読み取り、制御装置５の制御により、注文の品が届いた旨、例えば「お待たせしました。ご注文の品が届きました。」のメッセージがスピーカ７２からアナウンスされる。
【００４７】
従って客は雑談をしていても注文した品が到着するのを確実に認識することができる。
【００４８】
また客が飲食を終えた段階で、ディスプレイ装置７の画面上に表示されているおあいそボタン（図示せず）の画像をタッチすると、制御装置７の決済機能８０により、カード読取装置８で読み取ったカードＣの情報に基づいて、飲食代金が自動的に決済される。従って、レジでの飲食代金の領収業務などが解消される。
【００４９】
またモニター６ｂに表示の飲食物の準備が整えば、その飲食物を適宜持ち帰り用の容器に詰めて、注文の顧客に手渡す。
【００５０】
一方、飲食物の種類と数量が決定されて、その注文数が５個になると、制御装置５の情報記憶部５７に記憶された擬似乱数情報発生用のプログラムが実行処理されて擬似乱数情報が発生し、この擬似乱数情報の結果に基づいて、ルーレット表示部７３の複数の点灯ブロック７３ａ〜７３ｈがタイミングをずらして点滅すると共に、発生した擬似乱数情報が情報記憶部５７に予め記憶された当たり値と同一か否かについて判定機能５０２にて判定するのであって、この判定処理は、情報記憶部５７に記憶された比較判定用のプログラムを実行することにより行なわれる。
【００５１】
即ち、情報記憶部５７に予め設定して記憶されている当たり値と、上記プログラムの実行により発生した擬似乱数情報を比較して、該擬似乱数情報が当たり値でない場合には、更に５個の注文の入力を待ち、擬似乱数情報が当たり値と同じ場合には、制御装置５は当たりの判定を行い、ルーレット表示部７３の点灯ブロック７３ａ〜７３ｈ中、当たりを示す点灯ブロック７３ａのみが最終的に発光する。
【００５２】
そして更に制御装置５が当たりの判定を行なうと、ディスプレイ装置７の画面の中央には、手を上下に振ったり腰を左右に振る等の所定の動作を行なうキャラクタ７４が一定時間表示されると共に、容器９１に内蔵されているカプセル排出機構が作動して、容器９１の排出口９３にカプセル９２が排出されるのである。
【００５３】
尚、持ち帰り注文コーナーには、商品の注文に伴い、その注文番号や明細をプリントアウトするプリンターを設けるのが好ましい。
【００５４】
以上の説明においては、寿司の提供の場合を例示したが、寿司に限らず、例えばファーストフードの店舗等における種々の飲食物の提供業務にも採用することができる。
【００５５】
【発明の効果】
以上のように、請求項１に記載の発明によれば、飲食店における所望の飲食物を注文するための飲食物注文装置であって、顧客に対する情報を画像表示するディスプレイと、このディスプレイの前面に装着されるタッチセンサーとを備え、前記ディスプレイに表示された画像を指先等でタッチ操作することによって、どの画像がタッチされたかを出力する機能を備えたタッチパネル式ディスプレイ装置と、このディスプレイ装置に搭載され、音声を出力するスピーカと、タッチ操作によって注文された飲食物情報を飲食物供給場所に表示する注文表示手段と、前記タッチパネル式ディスプレイ装置、スピーカ、および注文表示手段を制御する制御手段とを備え、  制御手段が、前記ディスプレイ装置に注文可能な飲食物情報をアニメーション表示するとともに、アニメーション表示された飲食物情報中の何れかがタッチ操作により選択された時に、選択された飲食物の注文画面に切り換える画像制御機能と、前記ディスプレイ装置においてタッチ操作された情報を認識するデータ入力機能と、タッチ操作により注文された飲食物情報を飲食物供給場所に報知する報知機能と、ディスプレイ装置に表示されたそれぞれの画面に応じた音声を発する音声合成機能と、
飲食物の注文に基づいて、擬似乱数情報を発生する擬似乱数情報発生機能と、擬似乱数情報発生機能で発生する擬似乱数情報に対応付けた出力パターンに関するパターン情報を予め記憶している情報記憶部と、擬似乱数情報発生手段で発生した擬似乱数情報に基づいて情報記憶部に記憶されたパターン情報を選択して、演算処理により所定の出力パターンを出力する演算部と、演算部で出力された出力パターンを画像表示手段に表示させる出力パターン表示機能と、当たり情報設定機能と、擬似乱数情報発生機能により発生した擬似乱数情報と当たり情報設定機能により設定されている当たり情報とを比較し、これら情報が一致した場合に当たりを判定する当たり判定機能とを備え、当たりが発生すると、景品取り出し装置を作動させて、容器内の景品を排出させるようにしたことにより、顧客は飲食物の注文を正確にしかも楽しく行なうことが出来る。
【００５６】
請求項２に記載の発明によれば、請求項１に記載の発明において、飲食物注文装置に、金銭支払い機能を有するクレジットカードに記録した情報を読み取るカード読取装置を設けると共に、制御手段が、カード読取装置で読み取ったカードの情報に基づいて、カード会社のホストコンピュータに記録されているカード所持者の情報をオンライン検索して、カード所持者の情報に問題がない場合に、カード所持者が注文した飲食物の金銭支払いについて自動的に決済を行なう決済機能を備えたことにより、請求項１に記載の発明の効果に加えて、注文された飲食物の支払い代金の決済を自動的に行なうことが出来る。
【図面の簡単な説明】
【図１】  本発明にかかる飲食物注文装置を備えた飲食店内の説明図。
【図２】  図１におけるＸ−Ｘ線拡大断面図。
【図３】  客席表示部の斜視図。
【図４】  制御装置の構成図。
【図５】  景品取り出し装置の斜視図。
【図６】ディスプレイ装置に表示される画像の説明図。
【図７】  モニターに表示される画像の説明図。
【図８】  ディスプレイ装置に表示される画像の説明図。
【符号の説明】
５    制御装置（制御手段）
５１  画像制御機能
５２  音声合成機能
５４  データ入力機能
５５  報知機能
５６  疑似乱数情報発生機能
５７  情報記憶部
５８  演算部
５９  出力パターン表示機能
６ａ・６ｂ  モニター（注文表示手段）
７    ディスプレイ装置
７２  スピーカ
８    カード読取装置
８０  決済機能
【図１】
0004208427.tif 000002
【図２】
0004208427.tif 000003
【図３】
0004208427.tif 000004
【図４】
0004208427.tif 000005
【図５】
0004208427.tif 000006
【図６】
0004208427.tif 000007
【図７】
0004208427.tif 000008
【図８】
0004208427.tif 000009